(57)【特許請求の範囲】
【請求項１】
発駅情報及び着駅情報を含む、列車の個室の予約情報の入力を受け付け、発駅情報及び着駅情報を含む予約情報を予約情報管理サーバへ送信し、予約情報管理サーバから列車の個室の利用時に必要な鍵情報を受信し、ＩＣカードに対して予約情報及び鍵情報を記録するＩＣカード処理機と、
ＩＣカード処理機からの予約情報を受信し、予約情報及び鍵情報を対応付けて管理し、ＩＣカード処理機に対して鍵情報を送信し、改札機に対して予約情報を送信し、列車の個室のドアの開閉を制御する入場管理機器に対して予約情報及び鍵情報を送信する予約情報管理サーバと、
前記予約情報管理サーバから送信される予約情報を記憶し、前記ＩＣカードから予約情報を読み取り、読み取った予約情報と記憶した予約情報との照合結果に基づき入場の可否を判定する前記改札機と、
前記予約情報管理サーバから送信される予約情報及び予約情報に含まれた発駅情報及び着駅情報に基づき有効又は無効とされる鍵情報を記憶し、発駅情報が示す駅への到着検出に基づき鍵情報を有効とし、前記着駅情報が示す駅からの発車検出に基づき前記鍵情報を無効とし、前記ＩＣカードから鍵情報を読み取り、読み取った鍵情報と記憶した有効な鍵情報との照合結果に基づき入場の可否を判定し、記憶した鍵が無効な場合は入場を拒否する前記入場管理機器と、
を備えた入場管理システム。
【請求項２】
予約情報管理サーバは、ＩＣカードに記憶された情報に基づき鍵情報を生成する請求項１に記載の入場管理システム。
【請求項３】
ＩＣカード処理機は、発駅情報及び着駅情報を含む、列車の個室の予約情報の入力を受け付け、発駅情報及び着駅情報を含む予約情報を予約情報管理サーバへ送信し、予約情報管理サーバから列車の個室の利用時に必要な鍵情報を受信し、ＩＣカードに対して予約情報及び鍵情報を記録し、
予約情報管理サーバは、ＩＣカード処理機からの予約情報を受信し、予約情報及び鍵情報を対応付けて管理し、ＩＣカード処理機に対して鍵情報を送信し、改札機に対して予約情報を送信し、列車の個室のドアの開閉を制御する入場管理機器に対して予約情報及び鍵情報を送信し、
前記改札機は、前記予約情報管理サーバから送信される予約情報を記憶し、前記ＩＣカードから予約情報を読み取り、読み取った予約情報と記憶した予約情報との照合結果に基づき入場の可否を判定し、
前記入場管理機器は、前記予約情報管理サーバから送信される予約情報及び予約情報に含まれた発駅情報及び着駅情報に基づき有効又は無効とされる鍵情報を記憶し、発駅情報が示す駅への到着検出に基づき鍵情報を有効とし、前記着駅情報が示す駅からの発車検出に基づき前記鍵情報を無効とし、前記ＩＣカードから鍵情報を読み取り、読み取った鍵情報と記憶した有効な鍵情報との照合結果に基づき入場の可否を判定し、記憶した鍵が無効な場合は入場を拒否する入場管理方法。
【請求項４】
予約情報管理サーバは、ＩＣカードに記憶された情報に基づき鍵情報を生成する請求項３に記載の入場管理方法。
【発明の詳細な説明】
【技術分野】
【０００１】
本発明は、特定施設、例えば列車の個室への入場管理技術に関する。
【背景技術】
【０００２】
個室を備えた特急等(新幹線含む)の存在が知られており、個室には、例えば(1)４桁の暗証番号をテンキーによって入力することで施錠又は開錠するテンキー方式と、(2)鍵情報を記憶した磁気カードを配布し磁気カードによって施錠又は開錠するカードキー方式の２種類が存在している。
【０００３】
上記(1)のテンキー方式では、入退室を管理するのに、外出時に４桁の暗証番号の設定とその番号の記憶が必要であり、さらに、入室時には４桁の暗証番号の入力が必要である。暗証番号の入力間違いにより、旅客は目的の個室へ入場できなくなることがある。
【０００４】
また(2)のカードキー方式では、個室を予約した客用にカードキーを別途用意する必要がある。旅客がカードを置き忘れたりすると、旅客は目的の個室へ入場できなくなることがある。
【０００５】
このような入場管理に関する技術として、ホテル等の施設を利用する顧客が所有するＩＣカードを、部屋の鍵として利用したり、料金の精算を行ったりする顧客所有ＩＣカードを用いた顧客管理システムおよび精算端末に関する技術が提案されている（特許文献１参照）。
【０００６】
即ち、顧客所有のＩＣカードを施設利用や施設利用明細の管理に利用するため、施設側が顧客にＩＣカードを貸し与える必要がなくなると共に、また施設利用明細に基づき精算するため、顧客が受付でＩＣカードを借受け、返却し、精算する手続きが不要になって、業務の効率化及び利便性の向上を図る、という技術が提案されている。
【特許文献１】特開２００５−２５８５００
【発明の開示】
【発明が解決しようとする課題】
【０００７】
しかしながら、ホテル等の施設とは異なり、列車の個室へのアクセスには改札を通過する必要があり、改札通過時には乗車券が必要である。さらに、特急列車への乗車には、特急用の改札を通過する必要もあり、改札通過時には乗車券に加えて特急券も必要となる。つまり、旅客は、改札通過時にまず乗車券や特急券を提示し、さらに個室への入場のために個室入場用のカードを提示しなければならず、利用者からは利便性の改善が要望されている。
【０００８】
本発明の目的は、利用者が意識して区別することなく改札処理と特定施設利用処理を受けることが可能な入場管理システム及び入場管理方法を提供することにある。また、この入場管理システムに適用可能な予約情報管理サーバ及び改札機を提供することにある。
【課題を解決するための手段】
【０００９】
この発明の一実施形態に係る入場管理システムは、特定施設の予約情報の入力を受け付け、情報記憶媒体に対して予約情報及び特定施設の利用時に必要な鍵情報を記録する媒体処理機と、予約情報及び鍵情報を対応付けて管理し、前記媒体処理機に対して鍵情報を送信し、改札機に対して予約情報を送信し、特定施設の入場管理機器に対して鍵情報を送信する予約情報管理サーバと、前記予約情報管理サーバから送信される予約情報を記憶し、前記情報記憶媒体から予約情報を読み取り、読み取った予約情報に基づき入場の可否を判定する前記改札機と、前記予約情報管理サーバから送信される鍵情報を記憶し、前記情報記憶媒体から鍵情報を読み取り、読み取った鍵情報と記憶した鍵情報との照合結果に基づき入場の可否を判定する前記入場管理機器とを備える。
【００１０】
この発明の一実施形態に係る入場管理方法は、媒体処理機が、特定施設の予約情報の入力を受け付け、情報記憶媒体に対して予約情報及び特定施設の利用時に必要な鍵情報を記録し、予約情報管理サーバが、予約情報及び鍵情報を対応付けて管理し、媒体処理機に対して鍵情報を送信し、改札機に対して予約情報を送信し、特定施設の入場管理機器に対して鍵情報を送信し、前記改札機が、前記予約情報管理サーバから送信される予約情報を記憶し、前記情報記憶媒体から予約情報を読み取り、読み取った予約情報に基づき入場の可否を判定し、前記入場管理機器が、前記予約情報管理サーバから送信される鍵情報を記憶し、前記情報記憶媒体から鍵情報を読み取り、読み取った鍵情報と記憶した鍵情報との照合結果に基づき入場の可否を判定する。
【００１１】
この発明の一実施形態に係る予約情報管理サーバは、特定施設の予約情報及び特定施設の利用時に必要な鍵情報を対応付けて管理する管理手段と、予約情報及び鍵情報を情報記憶媒体に記録する媒体処理機に対して鍵情報を送信し、予約情報及び鍵情報を記憶した情報記憶媒体に基づく改札処理を実行する改札機に対して予約情報を送信し、予約情報及び鍵情報を記憶した情報記憶媒体に基づく入場処理を実行する特定施設の入場管理機器に対して鍵情報を送信する送信手段とを備える。
【００１２】
この発明の一実施形態に係る改札機は、特定施設の予約情報及び特定施設の利用時に必要な鍵情報を対応付けて管理し、予約情報及び鍵情報を情報記憶媒体に記録する媒体処理機に対して鍵情報を送信し、予約情報及び鍵情報を記憶した情報記憶媒体に基づく入場処理を実行する特定施設の入場管理機器に対して鍵情報を送信する予約情報管理サーバから送信される予約情報を記憶する記憶手段と、前記情報記憶媒体から予約情報を読み取る読取手段と、読み取った予約情報に基づき入場の可否を判定する判定手段とを備える。
【発明の効果】
【００１３】
本発明によれば、利用者が意識して区別することなく改札処理と特定施設利用処理を受けることが可能な技術を提供できる。
【発明を実施するための最良の形態】
【００１４】
以下、図面を参照し、本発明の実施形態について説明する。
【００１５】
図１及び図２は、本発明の一実施形態に係る入場管理システムの概要を説明するための図である。
【００１６】
図１に示すように、入場管理システムは、ＩＣカードを処理するカード処理機としての駅務機器１、予約情報やＩＣカード情報を集中管理する集中管理サーバ２、各駅に設置される改札機３、及び列車の各個室に設置されドアの開閉を制御する入場管理機器４を備えている。
【００１７】
図２に示すように、駅務機器１は、制御部１１、記憶部１２、入力部１３、表示部１４、通信部１５、ＩＣカードリーダライタ１６、及び発券部１７を備えている。集中管理サーバ２は、制御部２１、記憶部２２、通信部２３を備えている。改札機３は、制御部３１、記憶部３２、改札処理部３３、表示部３４、通信部３５、ＩＣカードリーダライタ１６を備えている。入場管理機器４は、制御部４１、記憶部４２、入力部４３、表示部４４、通信部４５、及びＩＣカードリーダライタ４６を備えている。
【００１８】
以下、旅客Ａが、駅Ｘで旅客Ａ所有のＩＣカードを使って列車の個室を予約するケースについて説明する。
【００１９】
旅客Ａが駅Ｘで列車の個室の予約をするとき、駅Ｘの駅務機器１の入力部１３が予約情報の入力を受け付け、ＩＣカードリーダライタ１６が旅客Ａ所有のＩＣカードからＩＣカード情報を読み取る。駅務機器１による予約処理は制御部１１により制御され、記憶部１２は予約情報及びＩＣカード情報を記憶し、表示部１４は予約情報を係員及び旅客に表示する。予約情報は、例えば、発駅情報、発車日時、着駅情報、到着日時、列車番号、車両番号、個室番号の情報を含む。駅務機器１の通信部１５は、集中管理サーバ２へ予約情報及びＩＣカード情報を送信する。
【００２０】
集中管理サーバ２による予約情報管理は制御部２１により制御され、通信部２３は予約情報及びＩＣカード情報を受信する。即ち、集中管理サーバ２は、各駅からの送信情報を集中的に管理している。集中管理サーバ２の制御部２１はＩＣカード情報から特有の方法で個室の鍵情報を生成し、記憶部２２は予約情報、ＩＣカード情報、鍵情報を対応付けて記憶する。さらに、集中管理サーバ２の通信部２３は、予約情報、ＩＣカード情報、及び鍵情報を駅Ｘの駅務機器１へ送信する。
【００２１】
駅務機器１の通信部１５は、集中管理サーバ２から送信される予約情報、ＩＣカード情報、及び鍵情報を受信し、発券部１７が、予約情報に基づき生成される券を発券する。さらに、駅務機器１のＩＣカードリーダライタ１６は、集中管理サーバ２から送信されたＩＣカード情報と、アクセス可能な状態のＩＣカード（上記した旅客Ａ所有のＩＣカード）に記憶されたＩＣカード情報とを照合し、両者が一致することを確認した上で、アクセス可能な状態のＩＣカードに対して予約情報及び鍵情報を記録する。
【００２２】
また、集中管理サーバ２の通信部２３は、改札機３に対して予約情報を送信する。例えば、予約情報に含まれる発駅情報に基づき、予約情報を送信する改札機３を特定する。即ち、予約情報に含まれる発駅情報が示す駅の改札機３に対して予約情報を送信する。また、予約情報に含まれる乗車日（発車日時及び到着日時）に基づき、改札機３に対する予約情報の送信タイミングを決定するようにしてもよい。即ち、乗車当日に、予約情報を送信するようにしてもよい。これにより、改札機３が保有する情報量を必要最小限に減らすことができ、改札機３の記憶資源を有効活用することができる。また、改札機３に対して、予約情報と共にＩＣカード情報を送信するようにしてもよいし、予約情報の替わりにＩＣカード情報を送信するようにしてもよい。
【００２３】
さらに、集中管理サーバ２の通信部２３は、入場管理機器４に対して鍵情報を送信する。例えば、予約情報に含まれる列車番号、車両番号、個室番号により特定される入場管理機器４に対して鍵情報を送信する。また、予約情報に含まれる乗車日（発車日時及び到着日時）に基づき、入場管理機器４に対する鍵情報の送信タイミングを決定するようにしてもよい。即ち、乗車当日（さらには乗車時刻の直前）に、鍵情報を送信するようにしてもよい。これにより、入場管理機器４が保有する情報量を必要最小限に減らすことができ、入場管理機器４の記憶資源を有効活用することができる。また、入場管理機器４に対して、予約情報と共に鍵情報を送信するようにしてもよいし、予約情報及びＩＣカード情報と共に鍵情報を送信するようにしてもよい。
【００２４】
改札機３のＩＣカードリーダライタ３６は、旅客により翳されるＩＣカードに記憶された情報を読み取る。即ち、ＩＣカードリーダライタ３６は、ＩＣカードから、予約情報を読み取る。改札機３の改札処理部３３は、ＩＣカードから読み取った予約情報に基づき改札可否を判定する。或いは、より厳密に改札可否を判定するために、ＩＣカードから読み取った予約情報と、改札機３の記憶部３２に記憶された予約情報（集中管理サーバ２から送信された予約情報）とを照合し、ＩＣカードから読み取った予約情報の正当性を判定してから、改札可否を判定するようにしてもよい。また、上記したように、改札機３の記憶部３２が、予約情報に加えてＩＣカード情報を記憶している場合には、ＩＣカードから読み取った予約情報及びＩＣカード情報と、記憶部３２に記憶されている予約情報及びＩＣカード情報を照合し、ＩＣカードから読み取った予約情報の正当性を判定し、さらにＩＣカード自身の正当性を判定してから、改札可否を判定するようにしてもよい。また、上記したように、改札機３の記憶部３２が、ＩＣカード情報だけを記憶している場合には、ＩＣカードから読み取ったＩＣカード情報と、記憶部３２に記憶されているＩＣカード情報を照合するのみで、改札可否を判定するようにしてもよい。
【００２５】
次に、入場管理機器４のＩＣカードリーダライタ４６は、旅客により翳されるＩＣカードに記憶された情報を読み取る。即ち、ＩＣカードリーダライタ４６は、ＩＣカードから、鍵情報を読み取る。入場管理機器４の制御部４１は、ＩＣカードから読み取った鍵情報と記憶部４２に記憶された鍵情報とを照合し、開錠可否を判定する（図３）。より厳密に開錠可否を判定するために、ＩＣカードから読み取った予約情報と、入場管理機器４の記憶部４２に記憶された予約情報（集中管理サーバ２から送信された予約情報）とを照合し、ＩＣカードから読み取った予約情報の正当性を判定してから、鍵情報を照合し開錠可否を判定するようにしてもよい。また、上記したように、入場管理機器４の記憶部４２が、予約情報に加えてＩＣカード情報を記憶している場合には、ＩＣカードから読み取った予約情報及びＩＣカード情報と、記憶部４２に記憶されている予約情報及びＩＣカード情報を照合し、ＩＣカードから読み取った予約情報の正当性を判定し、さらにＩＣカード自身の正当性を判定してから、鍵情報を照合し開錠可否を判定するようにしてもよい。
【００２６】
なお、鍵情報は有効期限を有し、この有効期限は予約情報に基づき設定される。即ち、鍵情報の有効期限は、予約情報に含まれる発駅情報、発車日時、着駅情報、及び到着日時に基づき設定される。これにより、有効期限を過ぎた鍵情報は無効となり、ＩＣカードから読み取られた鍵情報との照合候補から外される。これにより、予約区間外での個室利用を防止することができる。
【００２７】
また、上記説明では、集中管理サーバ２が、予め改札機３に対して予約情報等を送信するケースについて説明したが、本発明はこれに限定されるものではない。例えば、改札機３が、ＩＣカードに記憶された予約情報を読み取り、集中管理サーバ２に対してこの予約情報の有効性を問い合わせるようにしてもよい。つまり、改札機３は、予め予約情報を記憶することなく、集中管理サーバ２に対してＩＣカードから読み取られた予約情報による改札可否を問い合わせるようにしてもよい。
【００２８】
また、上記説明では、集中管理サーバ２が、予め入場管理機器４に対して鍵情報等を送信するケースについて説明したが、本発明はこれに限定されるものではない。例えば、入場管理機器４が、ＩＣカードに記憶された鍵情報を読み取り、集中管理サーバ２に対してこの鍵情報の有効性を問い合わせるようにしてもよい。つまり、入場管理機器４は、予め鍵情報を記憶することなく、集中管理サーバ２に対してＩＣカードから読み取られた鍵情報による入場可否を問い合わせるようにしてもよい。
【００２９】
さらに、上記説明では、ＩＣカードによる入場管理について説明したが、この発明はこれに限定されるものではない。例えば、携帯端末（携帯電話）による入場管理にも適用できる。最初に、携帯端末から予約サーバ（上記した駅務機器に相当）へアクセスし、携帯端末から予約サーバへ予約情報を送信する。予約サーバは集中管理サーバへアクセスし、予約サーバから集中管理サーバへ予約情報を送信し、これに対応して集中管理サーバから予約サーバへ鍵情報を送信する。予約サーバは、携帯端末に対して受け付けた予約情報及び鍵情報を送信し、携帯端末は予約情報及び鍵情報を記憶する。さらに、集中管理サーバは、予約情報を改札機へ送信し、予約情報及び鍵情報を入場管理機器４へ送信する。
【００３０】
改札機は、旅客により翳される携帯端末に記憶された情報を読み取る。即ち、改札機は、携帯端末から予約情報を読み取り、読み取った予約情報に基づき改札可否を判定する。次に、入場管理機器４は、旅客により翳される携帯端末に記憶された情報を読み取る。即ち、入場管理機器４は、携帯端末から鍵情報を読み取る。入場管理機器４は、携帯端末から読み取った鍵情報と記憶していた鍵情報とを照合し、開錠可否を判定する。
【００３１】
以上により、ＩＣカードを使用しなくても、携帯端末で個室を簡単に利用することができる。また、集中管理サーバは、ＩＣカードによる個室利用、及び携帯端末による個室利用を集中的に管理することができる。
【００３２】
次に、図４を参照して、個室利用客の入れ替わり時における鍵情報の入れ替え方法の一例について説明する。
【００３３】
駅Ｘから駅Ｙの区間を旅客Ａの予約乗車区間（個室利用区間）とし、駅Ｙから駅Ｚの区間を旅客Ｂの予約乗車区間（個室利用区間）とする。即ち、旅客Ａ所有のＩＣカードＡは予約情報Ａ、ＩＣカード情報Ａ、及び鍵情報Ａを記憶し、予約情報Ａは発駅情報（駅Ｘ）、着駅情報（駅Ｙ）を含む。一方の旅客Ｂ所有のＩＣカードＢは予約情報Ｂ、ＩＣカード情報Ｂ、及び鍵情報Ｂを記憶し、予約情報Ｂは発駅情報（駅Ｙ）、着駅情報（駅Ｚ）を含む。
【００３４】
列車のサーバは、各駅の発着に応じて各駅の発着情報を入場管理機器４へ送信する。即ち、入場管理機器４は、各駅の発着タイミングを検出することができる。入場管理機器４は、駅Ｘへの到着検出に基づき、記憶部４２に記憶された鍵情報Ａを有効にする。また、入場管理機器４は、駅Ｙへの到着検出に基づき、記憶部４２に記憶された鍵情報Ｂを有効にする。また、入場管理機器４は、駅Ｙへの発車検出に基づき、記憶部４２に記憶された鍵情報Ａを無効にする。また、入場管理機器４は、駅Ｚへの発車検出に基づき、記憶部４２に記憶された鍵情報Ｂを無効にする。
【００３５】
或いは、入場管理機器４は、駅Ｘへの到着検出に基づき、記憶部４２に記憶された鍵情報Ａを有効にする。また、入場管理機器４は、駅Ｙへの到着検出後のドアの開閉後に記憶部４２に記憶された鍵情報Ａを無効にする。即ち、駅Ｙへの到着した後、旅客Ａが個室から出場すると、旅客Ａは再び個室へ入場することはできない。さらに、入場管理機器４は、記憶部４２に記憶された鍵情報Ａを無効にした後、記憶部４２に記憶された鍵情報Ｂを有効にする。また、入場管理機器４は、駅Ｚへの到着検出後のドアの開閉後に記憶部４２に記憶された鍵情報Ｂを無効にする。即ち、駅Ｚへの到着した後、旅客Ｂが個室から出場すると、旅客Ｂは再び個室へ入場することはできない。
【００３６】
なお、旅客の乗換えを考慮して、到着時刻から五分間程度は前区間の旅客Ａに対応する鍵情報Ａを有効にするような運用であってもよい。
【００３７】
以下、本実施形態の作用効果についてまとめる。
【００３８】
本実施形態により、特急列車等の個室においてドアロック方式の煩わしさを解消することができる。即ち、個室予約客本人のＩＣカードを個室開閉に利用するため、ＩＣカードによる予約を行なうだけで、実際の個室使用時には予約客が所有するＩＣカードをＩＣカードリーダに翳すだけで容易に入退室が可能となる。また、予約区間でのみＩＣカードが個室の鍵として有効となるためセキュリティ性が高い。さらに、個室の入退室に用いる鍵情報は、予約客のＩＣカード情報を基に集中管理サーバで生成し、予約時にＩＣカードに書き込まれる。そのため、鍵情報は予約客のみ受け取ることが可能であり、セキュリティ面でも優れる。
【００３９】
よって、個室予約客自身のＩＣカードを用いるため、鉄道会社が別途予約客用にカードを用意する必要がなくなり、コストダウンを図ることができる。また、予約情報に基づき（予約当日に）予約客の予約情報とＩＣカード情報を改札機又は入場管理機器へ送信することで、情報量をセーブすることができる。さらに、必要な情報を印刷した券を発券することで、旅客サイドでの予約情報の確認が容易となり、旅客の乗降をスムーズにすることができる。
【００４０】
また、集中管理サーバが、個室予約客のＩＣカード情報を一手に扱うことにより、旅客の利用状況を把握することができる。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４２】
【図１】本発明の一実施形態に係る入場管理システムの概要を説明するための図である。
【図２】図１に示す入場管理システムの概略構成を示すブロック図である。
【図３】ＩＣカードによる開錠を説明するための図である。
【図４】個室利用旅客の入れ替わり時における鍵情報の入れ替え方法の一例を説明する図である。
【符号の説明】
【００４３】
１…駅務機器、２…集中管理サーバ、３…改札機、４…入場管理機器
【図１】
0005354921.tif 000002
【図２】
0005354921.tif 000003
【図３】
0005354921.tif 000004
【図４】
0005354921.tif 000005